(57)【要約】【課題】タイマー機器の設定を変更することなく、必要に応じて主装置への電力供給状態だけを切り替え可能な電源供給制御装置を提供すること。【解決手段】外部電源から電力供給される業務放送装置１０と、電力供給機器３を介して電力供給されるその他の機器２と、業務放送装置１０および電力供給機器３への電力供給を所定時刻に開始し別の所定時刻に停止するよう制御するタイマー機器４とを備える。業務放送装置１０は、タイマー機器４の設定状態に関係なく、自装置への電力供給を手動で開始または停止するための一時切換スイッチ１ｂを有する。通常はタイマー機器４によって業務放送装置１０および電力供給機器３への電力供給を所定時刻にオン、オフさせるが、一時切換スイッチ１ｂを操作することにより、タイマー機器４の設定を変更することなく、必要に応じて業務放送装置１０だけを起動、停止可能である。【選択図】　図１
2004140980.tif 000002
【特許請求の範囲】
【請求項１】
予め設定された時間的な条件に基づいて、外部電源からの電力供給を制御する電力供給制御手段と、
前記電力供給制御手段からの指示に従って、前記外部電源から電力が供給される主装置と、を備え、
前記主装置は、
前記外部電源から当該主装置への電力供給を開始または停止するための操作手段と、
前記外部電源から前記主装置への電力供給状態を前記操作手段によって供給状態および非供給状態を切り替える状態切替手段と、を有することを特徴とする電源供給制御装置。
【請求項２】
前記主装置は、
前記操作手段が操作されたことを示す情報を保持する操作情報保持手段と、
前記操作情報保持手段に前記情報が保持されると、前記外部電源から前記主装置への電力供給状態を切り替える電源制御手段と、
前記電源制御手段による電力供給状態切り替えの後、前記操作情報保持手段に保持されている情報を消去する消去手段と、
を有することを特徴とする請求項１記載の電源供給制御装置。
【請求項３】
前記主装置は、
前記外部電源から当該主装置への電力供給状態が供給状態であるときに前記操作手段が連続して所定時間以上操作されると、前記電源制御手段に電力供給状態を非供給状態に切り替えるよう指示する電源強制遮断手段を有することを特徴とする請求項２記載の電源供給制御装置。
【発明の詳細な説明】
【０００１】
【発明の属する技術分野】
本発明は、電力供給の制御に関する時間的な条件を変更することなく、必要に応じて外部電源から主装置への電力供給状態だけを切り替え可能な電源供給制御装置に関する。
【０００２】
【従来の技術】
従来の電源供給制御装置の一例を図４に示す。同図に示す従来の電源供給制御装置は、デパート等に設置される業務放送システムであり、システムの機能を特徴付ける主機器である業務放送装置４１の他に、増幅器４２、音源装置４３、リレー制御機器４４、電力供給機器４５、タイマー機器４６等の複数の機器によって構成されている。
【０００３】
業務放送装置４１、増幅器４２、音源装置４３およびリレー制御機器４４へは、外部電源から電力供給機器４２を介して電力が供給される。また、タイマー機器４６は、電力供給機器４２への電力供給を所定時刻に開始（オン）し、所定時刻に停止（オフ）するよう制御を行う。各機器４１〜４５には、ロック式すなわち接点の開閉状態保持機能を有する主電源スイッチが設けられている。デパート等では各機器４１〜４５の主電源スイッチを入れたままにしておき、タイマー機器４４によって毎日決まった時刻に自動的に電力供給機器４５への電力供給をオン、オフさせて、機器４１〜４５を一斉に起動、停止させることが多い。（例えば、特許文献１参照）
【０００４】
【特許文献１】
特開平６−４１８６号公報
【０００５】
【発明が解決しようとする課題】
しかし、このような従来の業務放送システムでは、タイマー機器４４に設定されている時間帯でしか電力供給機器４５に電力を供給することができないため、当該時間帯以外すなわち、始業前や終業後に業務放送装置４１のメンテナンスを行いたい場合等には、タイマー機器４４の設定をその都度変更しなければならない。また、業務放送装置４１のメンテナンスを行う際、起動する必要のない他の機器までも起動することになってしまう。
【０００６】
本発明は、上記従来の事情に鑑みてなされたものであって、電力供給の制御に関する時間的な条件を変更することなく、必要に応じて外部電源から主装置への電力供給状態だけを切り替え可能な電源供給制御装置を提供することを目的としている。
【０００７】
【課題を解決するための手段】
上記目的を達成するために、本発明に係る電源供給制御装置は、予め設定された時間的な条件に基づいて、外部電源からの電力供給を制御する電力供給制御手段と、前記電力供給制御手段からの指示に従って、前記外部電源から電力が供給される主装置と、を備え、前記主装置は、前記外部電源から当該主装置への電力供給を開始または停止するための操作手段と、前記外部電源から前記主装置への電力供給状態を前記操作手段によって供給状態および非供給状態を切り替える状態切替手段と、を有する。したがって、電力供給の制御に関する時間的な条件を変更することなく、必要に応じて外部電源から主装置への電力供給状態だけを切り替えることができる。
【０００８】
また、本発明に係る電源供給制御装置は、前記主装置は、前記操作手段が操作されたことを示す情報を保持する操作情報保持手段と、前記操作情報保持手段に前記情報が保持されると、前記外部電源から前記主装置への電力供給状態を切り替える電源制御手段と、前記電源制御手段による電力供給状態切り替えの後、前記操作情報保持手段に保持されている情報を消去する消去手段と、を有する。したがって、操作手段を操作することにより、外部電源から主装置への電力供給状態だけを切り替えることができる。
【０００９】
さらに、本発明に係る電源供給制御装置は、前記主装置は、前記外部電源から当該主装置への電力供給状態が供給状態であるときに前記操作手段が連続して所定時間以上操作されると、前記電源制御手段に電力供給状態を非供給状態に切り替えるよう指示する電源強制遮断手段を有する。したがって、電力供給制御手段によっても操作手段によっても主装置の電源を遮断することができなくなった場合に、主装置の電源を強制的に遮断することができる。
【００１０】
【発明の実施の形態】
［第１の実施形態］
図１は、本発明に係る電源供給制御装置の第１の実施形態の構成を示すブロック図である。同図に示すように、第１の実施形態の電源供給制御装置は、デパート等に設置される業務放送システムであり、システムの機能を特徴付ける主機器である業務放送装置１０と、業務放送装置１０に付随するその他の機器２と、電力供給機器３と、タイマー機器４とを備えて構成されている。なお、その他の機器２には、増幅器や音源装置、リレー制御機器等が含まれる。また、特許請求の範囲の電力供給制御手段は本実施形態のタイマー機器４に該当し、主装置は業務放送装置１０に該当する。
【００１１】
本実施形態において、その他の機器２へは外部電源から電力供給機器３を介して電力が供給されるが、業務放送装置１０へは外部電源から直接電力が供給される。また、タイマー機器４は、業務放送装置１０および電力供給機器３への電力供給を、予め設定された所定の時刻に開始（オン）し、設定された別の時刻に停止（オフ）するよう制御を行う。さらに、各機器１〜３にはロック式の主電源スイッチが設けられている。
【００１２】
以下、業務放送装置１０について説明する。業務放送装置１０は、図１に示すように、制御信号入力部１ａと、一時切換スイッチ１ｂと、信号処理部１ｃとを有している。なお、特許請求の範囲の操作手段は一時切換スイッチ１ｂに該当し、状態切替手段は信号処理部１ｃに該当する。
【００１３】
制御信号入力部１ａは、タイマー機器４から制御信号を受け取って信号処理部１ｃに送るものである。また、一時切換スイッチ１ｂは、業務放送装置１０への電力供給だけを必要に応じてオンオフするためのノンロック式の手動スイッチである。一時切換スイッチ１ｂが操作されると、その度に、業務放送装置１０への電力供給だけをオンオフ制御するための状態反転信号が当該一時切換スイッチ１ｂから信号処理部１ｃに送られる。
【００１４】
また、信号処理部１ｃは、制御信号入力部１ａおよび一時切換スイッチ１ｂから送られた信号に基づいて、外部電源から業務放送装置１０内の各部への電力供給をオンオフ制御するものである。なお、信号処理部１ｃは、一時切換スイッチ１ｂから状態反転信号が送られると、制御信号入力部１ａからの制御信号に関係なく、電力供給をオンオフ制御する。すなわち、一時切換スイッチ１ｂが操作される度に電力供給状態が切り替わり、電力供給状態が供給状態であれば非供給状態に切り替わり、非供給状態であれば供給状態に切り替わる。
【００１５】
次に、本実施形態の電源供給制御装置の動作について説明する。
本実施形態の電源供給制御装置をデパート等で使用する場合、日々のシステム運用は、業務放送装置１０およびその他の機器２への電力供給を予め設定された時刻に開始することから始まり、予め設定された別の時刻に電力供給を停止することにより終了する。すなわち、タイマー機器４は、毎日決まった第１の時刻に電源起動のための制御信号（電源起動信号）を出力し、第２の時刻に電源遮断のための制御信号（電源遮断信号）を出力する。これらの制御信号は、電力供給機器３および業務放送装置１０に送られる。電力供給機器３は、その他の機器２への電力供給を、電源起動信号を受け取るとオンし、電源遮断信号を受け取るとオフする。また、業務放送装置１０は、業務放送装置１０内の各部への電力供給を、電源起動信号を受け取るとオンし、電源遮断信号を受け取るとオフする。
【００１６】
一方、業務放送装置１０は、一時切換スイッチ１ｂが手動で操作されると、タイマー機器４の設定状態に関係なく、業務放送装置１０内の各部への電力供給をオンオフする。すなわち、一時切換スイッチ１ｂが操作された時に電力供給がオンであればオフし、オフであればオンする。
【００１７】
したがって、タイマー機器４に設定されている時間帯以外、例えば始業前や終業後に業務放送装置１０のメンテナンス等を行いたい場合には、一時切換スイッチ１ｂを手動で操作することより、タイマー機器４の設定を変更することなく業務放送装置１０だけを起動することができる。そしてメンテナンス等の処理が終了した後、一時切換スイッチ１ｂを再び操作すれば、業務放送装置１０を停止することができる。また、本システムが稼働中（業務放送装置１０およびその他の機器２に電力供給中）であっても、業務放送装置１０への電力供給だけを一時的に停止することもできる。
【００１８】
［第２の実施形態］
図２は、本発明に係る電源供給制御装置の第２の実施形態の構成を示すブロック図である。同図に示すように、第２の実施形態の電源供給制御装置では、業務放送装置２０が、図１に示した構成要素（制御信号入力部１ａ、一時切換スイッチ１ｂおよび信号処理部１ｃ）に加えて、制御信号保持部１ｄ、操作情報保持部１ｅ、消去部１ｆおよび電源制御部１ｇを有している。なお、特許請求の範囲の操作情報保持手段は本実施形態の操作情報保持部１ｅに該当し、電源制御手段は電源制御部１ｇに該当し、消去手段は消去部１ｆに該当する。
【００１９】
本実施形態では、一時切換スイッチ１ｂによって業務放送装置２０を起動する場合、一時切換スイッチ１ｂを１回操作すると、「スイッチが操作された」という情報が操作情報保持部１ｅに保持される。操作情報保持部１ｅに保持された情報は電源制御部１ｇに送られる。電源制御部１ｇは、操作情報保持部１ｅから当該情報を受け取ると、業務放送装置２０内の各部への電力供給をオンする。すると、信号処理部１ｃが初期化され動作を開始するのと同時に、一時切換スイッチ１ｂが１回操作されたという情報が信号処理手段１ｃに入力される。これにより、電源制御部１ｇは信号処理部１ｃからの電源起動に即座に切り替えると共に、消去部１ｆによって、操作情報保持部１ｅが保持している「スイッチが操作された」という情報を消去する。これにより、一時切換スイッチ１ｂが再び操作されるのを待つ状態に遷移する。
【００２０】
一方、タイマー機器４からの制御信号によって業務放送装置２０を起動する場合、タイマー機器４から制御信号入力部１ａに電源起動信号が送られると、電源起動信号を受け取ったという情報が制御信号保持部１ｄに保持される。制御信号保持部１ｄに保持された情報は電源制御部１ｇに送られる。電源制御部１ｇは、制御信号保持部１ｄから当該情報を受け取ると、業務放送装置２０内の各部への電力供給をオンする。すると、信号処理部１ｃが初期化され動作を開始するのと同時に、電源起動信号が信号処理部１ｃに入力される。その後、消去部ｆによって、制御信号保持部１ｄが保持している情報を消去する。そして、タイマー機器４から制御信号入力部１ａに電源遮断信号が送られるまでは、このまま信号処理部１ｃによる電源制御が継続される。
【００２１】
また、信号処理部１ｃによる電源制御が継続されている状態のときに一時切換スイッチ１ｂが操作されると、信号処理部１ｃに入力される。信号処理部１ｃは電源を遮断すべきと判断し、その旨を電源制御部１ｇに伝える。そして、電源制御部１ｇは電源を遮断する制御を行う。
【００２２】
また、タイマー機器４からの制御信号によって業務放送装置２０の電源を遮断する場合も、ほぼ同様である。タイマー機器４から制御信号入力部１ａに電源遮断信号が送られると、制御信号入力部１ａは当該電源遮断信号を信号処理部１ｃに送る。信号処理部１ｃは、電源を遮断すべきと判断し、その旨を電源制御部１１に伝える。そして、電源制御部１１は電源を遮断する制御を行う。
【００２３】
このように、本実施形態において業務放送装置２０を起動するときは、信号処理部４が初期化するまでの間は操作情報保持部１ｅまたは制御信号保持部１ｄに保持された情報に従って電源を起動しその状態を保持するが、信号処理部１ｃが初期化された後は、操作情報保持部１ｅまたは制御信号保持部１ｄに保持された情報を消去すると同時に、当該情報に従った電源制御から信号処理部１ｃによる電源制御へと切り換わる。その後は、信号処理部１ｃが電源のオンオフ状態（電力供給状態）を監視し続け、次に発生した一時切換スイッチ１ｂからの状態反転信号または制御信号入力部１ａからの制御信号によって反転動作を行うこととなる。
【００２４】
なお、信号処理部１ｃに入力される信号は、メイク・ブレイク切換信号やパルス信号等である。また、電源を起動する際の保持回路には少容量のスタンバイ用電源を必要とする。
【００２５】
［第３の実施形態］
図３は、本発明に係る電源供給制御装置の第３の実施形態の構成を示すブロック図である。同図に示すように、第３の実施形態の電源供給制御装置では、業務放送装置３０が、図２に示した構成要素（制御信号入力部１ａ、一時切換スイッチ１ｂ、信号処理部１ｃ、制御信号保持部１ｄ、操作情報保持部１ｅ、消去部１ｆおよび電源制御部１ｇ）に加えて、電源強制遮断部１ｈを有している。なお、特許請求の範囲の電源強制遮断手段は本実施形態の電源強制遮断部１ｈに該当する。
【００２６】
本実施形態では、一時切換スイッチ１ｂを数秒にわたって押し続けると、強制遮断信号が電源強制遮断部１ｈに送られる。電源強制遮断部１ｈは、強制遮断信号を受け取ると、電源制御部１ｇによる電源供給を強制的に遮断するよう電源制御部１ｇに指示する。
【００２７】
したがって、本実施形態によれば、万が一、信号処理部１ｃが暴走し、タイマー機器４によっても一時切換スイッチ１ｂによっても業務放送装置３０の電源を遮断することができない場合でも、一時切換スイッチ１ｂを普段よりも長く押すことによって強制的に遮断することができる。但し、一時切換スイッチ１ｂを何秒位押し続けることによって、強制遮断するかどうかは時定数回路（図示せず）のコンデンサと抵抗の定数を変更することによって調整可能である。
【００２８】
なお、上記第１〜第３の実施形態では、本発明に係る電源供給制御装置の例として、デパート等に設置される業務放送システムについて説明したが、その他の電源供給制御装置にも適用可能である。
【００２９】
【発明の効果】
以上説明したように、本発明に係る電源供給制御装置によれば、電力供給の制御に関する時間的な条件を変更することなく、必要に応じて外部電源から主装置への電力供給状態だけを切り替えることができる。
【図面の簡単な説明】
【図１】本発明に係る電源供給制御装置の第１の実施形態の構成を示すブロック図
【図２】本発明に係る電源供給制御装置の第２の実施形態の構成を示すブロック図
【図３】本発明に係る電源供給制御装置の第３の実施形態の構成を示すブロック図
【図４】従来の電源供給制御装置の構成を示すブロック図
【符号の説明】
１０，２０，３０　業務放送装置
１ａ　制御信号入力部
１ｂ　一時切換スイッチ
１ｃ　信号処理部
１ｄ　制御信号保持部
１ｅ　操作情報保持部
１ｆ　消去部
１ｇ　電源制御部
１ｈ　電源強制遮断部
２　その他の機器
３　電力供給機器
４　タイマー機器
【図１】
2004140980.tif 000003
【図２】
2004140980.tif 000004
【図３】
2004140980.tif 000005
【図４】
2004140980.tif 000006